(57)【要約】【課題】グループケアを実施するための施設としての条件を具備しつつ、全居室が南側に面していること、入居者に対する監視が行き届くこと、季節毎に変化する日射，気温，通風を考慮して食堂及び談話室の配置変更を可能とした介護施設を提供することにある。【課題を解決するための手段】  長軸が東西方向に延びる平面視略楕円形状の南側の大径円弧に沿って配設した第１居室群３Ａと、小径円弧が南側に位置する平面視略扇形状の前記第１居室群の北側に形成した内部空間Ｓと、該内部空間の北側の大径円弧に沿って配設した第２居室群等３Ｂと、前記第１及び第２居室群の北側に配設した環状のリラックスヤード６からなる筒形状の居室棟２と、前記内部空間に立設する中央棟４とから構成され、該中央棟の各階を前記居室棟の各階の中間高さとした。【選択図】  図３
2005188044.tif 000002
【特許請求の範囲】
【請求項１】
長軸が東西方向に延びる平面視略楕円形状の南側の大径円弧に沿って配設した第１居室
群と、小径円弧が南側に位置する平面視略扇形状の前記第１居室群の北側に形成した内部
空間と、該内部空間の北側の大径円弧に沿って配設した第２居室群及び／又はグルーブケ
ア室群と、前記第１居室群と前記第２居室群及び又はグルーブケア室群の北側に配設した
環状のリラックスヤードからなる筒形状の居室棟と、前記内部空間に立設する中央棟とか
ら構成され、該中央棟の各階を前記居室棟の各階の中間高さとしたことを特徴とする介護
施設。
【請求項２】
前記居室棟の一部又は全部の各階を南北を通る中心線を境にして左右に区分するとゝも
に、区分された左右のリラックスヤード部にキッチンをそれぞれ配設し、各キッチン近傍
にテーブル，椅子を配置して移動可能な食堂と談話室をそれぞれ形成したことを特徴とす
る請求項１記載の介護施設。
【請求項３】
前記中央棟の各階の北側を上階ほど面積が小さくなる階段状に形成したことを特徴とす
る請求項１又は２記載の介護施設。
【請求項４】
前記中央棟の階段状の段部上面を前記リラックスヤードと前記第２居室群及び又はグル
ーブケア室群から観覧可能なステージとしたことを特徴とする１〜３のうちいづれか一つ
に記載の介護施設。
【請求項５】
前記居室棟の一部又は全部の各階にあって少なくとも東西の位置近傍に空間部を設け、
該空間部を前記居室棟の内外に連通する通風路としたことを特徴とする請求項１〜４のう
ちいづれか一つに記載の介護施設。
【発明の詳細な説明】
【技術分野】
【０００１】
本発明は、介護老人保健施設，特別養護老人ホーム等の介護施設に関し、特に介護施設
を居室，食堂，談話室など日常生活に必要な設備を備えた複数のユニットに分け、各ユニ
ット内で１単位としてグループ化した複数の入居者が家族的で親密な環境のもとで生活す
ることによって、残存能力の維持を図るようにしたいわゆるグループケアを実施するため
の介護施設に関する。
【背景技術】
【０００２】
近年、特別養護老人ホームや老人保健施設等の介護施設において、入居者を小人数に分
けてグループ化し、この１グループを日常生活に必要な設備を備えたユニット内で処遇す
るグループケア・ユニット方式が注目されている。ここでグループケアとは、例えば、定
員５０名の特別養護老人ホームを、談話室，食堂，キッチン，トイレなどのセミパブリッ
クスペースと、居室（入居者の個人部屋）のプライベートスペースなど日常生活に必要な
設備を全て備えた５つのユニットに分け、各ユニット内で生活する１０〜１２人の入居者
を２，３人の介護スタッフが担当し、家族的な日常生活に近い内容の介護を行うことを言
う。
【０００３】
このようなグループケアを実施するための施設の条件として、全居室がセミパブリック
スペースに直接面していること、一部の居室が食堂や談話室等から遠くなってしまうこと
がないことなどが要求され、他人との交流が少なくなるようなことがないように配慮しな
ければならない（図６参照）が、このようなグループケア・ユニット方式の介護施設とし
て、例えば、「特別養護老人ホーム風の村」（非特許文献１参照）、「きのこ老人保健施
設」（非特許文献２参照）などがある。
【０００４】
【非特許文献１】高橋誠一他５名、「新訂・ユニットケア施設の空間設計と運営管理」「３章ユニットケアにおける空間設計−外山義」「４．２つのユニットケア展開事例」「２．特別養護老人ホーム「風の村」（Sample）」「風の村  平面図」、［online］、［平成１５年９月１９日検索］、インターネット＜ＵＬＲ：http://www.sogo-unicom.co.jp/data/book/0520020302/＞
【非特許文献２】特養・老建・医療施設ユニットケア研究会事務局、「特養・老建・医療施設ユニットケア研究会」「資料室」「ユニットケアの実現に向けて〜既存施設においてユニットケアを実現するための方策についての提案〜」「参考」「１．既存施設をユニット化した事例」「（３）きのこ老人保健施設」「chiba0212-12.pdf」の第１〜７頁、［online］、［平成１５年９月１９日検索］、インターネット＜ＵＬＲ：http://www.clc-japan.com/unit   care/s＿room.html ＞
【発明の開示】
【発明が解決しようとする課題】
【０００５】
上述したグループケアの目的は、介護施設の入居者に人間らしい当たり前の生活を確保
すること、すなわち介護施設において日常生活を再現し、家庭を演出することにある。し
かし、例えグループケア・ユニット方式といえども入居者は自由に外出することができな
いため、一日の大半を過ごす居室は日当たりの良い南側に向いている必要があるが、限ら
れたスペースで且つ所定数の居室をつくろうとする場合にはどうしても北側或いは西側に
向く居室ができあがってしまうといった問題点がある。
【０００６】
また、入居者は高齢者であったり痴呆症の者であったりするため居室内の様子を四六時
中監視する必要があるが、特に夜間にあっては医者，看護者，看護婦などの常駐者数も少
なくなるので、少ない人数で全居室内の入居者を監視することは困難であり、不慮の事故
が発生する虞があるといった問題点がある。更には、食堂，談話室は入居者が集う生活の
中心として重要な役割を果たしているが、従来の介護施設における食堂及び談話室は一定
の場所に固定されており、年間を通じていつも同じ場所に位置していて、季節毎に変化す
る日射，気温，通風などが全く考慮されてないという問題もあった。
【０００７】
本発明は上記のような従来の問題点に鑑みてなされたものであり、グループケアを実施
するための施設としての条件を具備しつつ、全居室が南側に面していること、入居者に対
する監視が行き届くこと、季節毎に変化する日射，気温，通風を考慮して食堂及び談話室
の配置変更を可能とした介護施設を提供することを目的とする。
【課題を解決するための手段】
【０００８】
上記の目的を達成するために、本願の請求項１に係る発明は、長軸が東西方向に延びる
平面視略楕円形状の南側の大径円弧に沿って配設した第１居室群と、小径円弧が南側に位
置する平面視略扇形状の前記第１居室群の北側に形成した内部空間と、該内部空間の北側
の大径円弧に沿って配設した第２居室群及び／又はグルーブケア室群と、前記第１及び第
２居室群の北側に配設した環状のリラックスヤードからなる筒形状の居室棟と、前記内部
空間に立設する中央棟とから構成され、該中央棟の各階を前記居室棟の各階の中間高さと
した介護施設である。
【０００９】
また、上記の目的を達成するために、本願の請求項２に係る発明は、上記請求項１記載
の介護施設にあって、前記居室棟の一部又は全部の各階を南北を通る中心線を境にして左
右に区分するとゝもに、区分された左右のリラックスヤード部にキッチンをそれぞれ配設
し、各キッチン近傍にテーブル，椅子を配置して移動可能な食堂と談話室をそれぞれ形成
した構成とする。
【００１０】
更に、本願の請求項３に係る発明は、前記中央棟の各階の北側を上階ほど面積が小さく
なる階段状に形成した構成とし、請求項４に係る発明は、前記中央棟の階段状の段部上面
を前記リラックスヤードと前記第２居室群及び又はグルーブケア室群から観覧可能なステ
ージとした構成とし、請求項５に係る発明は、前記居室棟の一部又は全部の各階にあって
少なくとも東西の位置近傍に空間部を設け、該空間部を前記居室棟の内外に連通する通風
路とした構成とするものである。
【発明の効果】
【００１１】
本願発明の請求項１に記載の介護施設によれば、全居室が南向きとなって採光が良好な
居住環境となるとゝもに、限られた空間にあってリラックスヤードの占有面積を最大限確
保することができる。さらに、中央棟の１フロアから居室棟の上下２フロアを一望するこ
とができ、少ない看護者等で多数の入居者を常時監視することが可能となる。また請求項
２に記載の介護施設によれば、全居室がリラックスヤード部に直接面しているとゝもに一
部の居室が食堂や談話室等から遠くなってしまうことがなく、グループケア・ユニット方
式の条件を具備しつつ、季節毎に変化する環境に応じた食堂及び談話室となる。
【００１２】
また、本願発明の請求項３に記載の介護施設によれば、前記第２居室群は前記中央空間
を間においてその北側に位置するとゝもに、該中央空間に立設した前記中央棟の各階の北
側を上階ほど面積が小さくなる階段状に形成した構成とすることで、前記中央棟の日陰と
なることを極力防止することができる。そして、本願発明の請求項４に記載の介護施設に
よれば、前記階段状の段部上面をステージとすることにより、同じような日常生活の繰り
返しにより生じるストレスを解消し、入居者の生き甲斐となるような特別の娯楽を提供す
ることができる。
【００１３】
さらに、本願発明の請求項５に記載の介護施設によれば、居室棟の内外に連通する通風
路を形成したことにより、リラックスヤード，食堂，談話室及び内部空間の風通しがよく
なり、風通しが良好な居室棟とすることができる。
【発明を実施するための最良の形態】
【００１４】
以下、本発明に係る介護施設を図面に示す実施形態により詳細に説明すると、図におい
て、１は５階建てのユニットケア用の介護施設で、老人介護の場となる居室棟２と、医者
や介護スタッフが常駐する中央棟４とから主に構成されている。前記居室棟２はその１階
部分がデイサービスフロア（パブリックスペース）５とし、２〜５階部分の各階は２つの
居室群３Ａ，３Ｂとその背面側に設けた環状のユニットケアフロア（リラックスヤード）
６とからなる５階建ての建物で全体が筒形状とした構造のものであり、前記居室群３Ａ，
３Ｂとの間に形成した内部空間Ｓの中央に前記中央棟４を立設した構成としてある。
【００１５】
前記パブリックスペース５は養護施設１に居住する入居者全員が共同で使用する設備で
あり、真南に位置するメインエントランス７の他、受付，ロビー，デイルーム，機能回復
訓練室，共同浴室，娯楽室等８がそれぞれ設けてある。また、前記居室棟２の２〜５階部
分の各階にそれぞれ設けた前記２つの居室群３Ａ，３Ｂのうち一方の第１居室群３Ａは、
長軸が東西方向に延びる平面視略楕円形状の南側の大径円弧に沿って配設したもので、他
方の第２居室群及び又はグルーブケア室群３Ｂは、前記第１居室群３Ａの北側に形成した
前記内部空間Ｓの北側の大径円弧に沿って配設したものである。
【００１６】
詳述すると、前記内部空間Ｓは、小径円弧が南側，大径円弧が北側にそれぞれ位置する
平面視略扇形状の空間で、前記第２居室群及び又はグルーブケア室群（以下、第２居室群
等という）３Ｂは、この内部空間Ｓの北側に位置する大径円弧に沿って配設したものであ
り、該第２居室群等３Ｂは、前記第１居室群３Ａの北側にあって前記リラックスヤード６
および前記内部空間Ｓを挟んで南に面して設置されている。また、屋上Ｒは芝や植木を植
生することで緑化して憩いの場を形成するとゝもに、ヒートアイランド化の防止を図って
いる。なお、前記リラックスヤード６は後述する各グループの共有スペースとなるもので
ある。
【００１７】
また、前記第１居室群３Ａ，第２居室群等３Ｂ及び前記リラックスヤード６は、図３に
示すように、南北を通る中心線Ｌを境にしてそれぞれ左右に二等分されており、等分され
た図中左側の複数の居室３Ａ１，３Ｂ１と右側の複数の居室３Ａ２，３Ｂ２及び左側のく
字状のリラックスヤード部６Ａと右側の逆く字状のリラックスヤード部６Ｂはそれぞれ、
複数の入居者を１単位としたグループが居住，利用する構成となっている。具体的には、
中心線Ｌの左側に１３の居室３Ａ１，３Ｂ１が、右側にも同数の居室３Ａ２，３Ｂ２が全
室南側を向いて配設してあり、前記中心線Ｌの位置にあって、居室３Ｂ１と居室３Ｂ２と
の間に形成した空間部Ｄ２を挟んだ位置には各１基のでエレベータＥＶがそれぞれ設置さ
れているとゝもに、該エレベータＥＶと隣接する各室には事務室等が配設してある。
【００１８】
また、南北を通る前記中心線Ｌの位置にあって、前記居室３Ａ１と居室３Ａ２との間に
は空間部Ｄ１が形成されているとゝもに、前記両リラックスヤード部６Ａ，６Ｂの中央部
にはそれぞれ、図３に示すように、キッチン９，９がそれぞれ配設してあり、各キッチン
９，９の近傍にはテーブル，椅子，パーテーションなどからなる食堂１０，１０と談話室
１１，１１をそれぞれ設置した構成としてある。
【００１９】
これにより、季節毎に変化する日射，気温，通風などを考慮して、前記キッチン９を中
心にして前記食堂１０と談話室１１を移動させることができる。具体的には、図３に示す
ように、夏期は直接日光が当たらない中心寄り（図中実線位置）に、また冬期は採光性が
良好な窓寄り（図中点線位置）に食堂１０と談話室１１を配置するとよい。さらに、前記
両空間部Ｄ１，Ｄ２を前記居室棟２の内外に連通する通風路としてある。すなわち、図４
に示すように、居室棟２の中央に設けた吹き抜けの内部空間Ｓと、南北に設けた各通風路
Ｄ１，Ｄ２とが相互に連通し、前記リラックスヤード６及び内部空間Ｓの風通しが良好と
なる。なお、図示の例では、前記屋上Ｒにあってその中央部に形成した内部空間Ｓは吹き
抜けとしているが、透光性材料により閉塞しても本発明の目的は達成できる。
【００２０】
一方、前記中央棟４は大径円弧側が南を向き、小径円弧側が北を向く平面視略卵型の塔
である。北側を小径円弧としたことにより前記内部空間Ｓの北側に中央棟４の影が出来に
くくなり、居室棟２及び中央棟４を高層化した場合でも、中央棟４の北側に配設した前記
第２居室群等３Ｂの採光性を良好なものとすることができる。また、前記中央棟４は居室
棟２の２階と３階の中間高さに位置する第１サービスステーション４Ａ，３階と４階の中
間高さに位置する中央管理センタ４Ｂ及び４階と５階の中間高さに位置する第２サービス
ステーション４Ｃで構成してある。
【００２１】
さらに、前記第１サービスステーション４Ａ，中央管理センター４Ｂ及び第２サービス
ステーション４Ｃの各小径円弧側は、上階ほど天板の面積が小さくなる階段状に形成され
ている。これにより、前記内部空間Ｓにあってその北側の大径円弧に沿って配設した前記
第２居室群等３Ｂの採光が中央棟４によって遮られない構成となるとゝもに、前記階段状
の段部上面Ｆをそれぞれステージとして利用し、これらステージの１又は２つを３〜５階
の前記リラックスヤード６や前記第２居室群等３Ｂから観覧することができる。
【００２２】
また、中央棟４の前記各階（４Ａ，４Ｂ，４Ｃ）を前記居室棟２の各階の中間の高さと
したことにより、中央棟４の１フロアから居室棟２の上下の２フロアを一望することがで
き、少ない人数で各居室群３Ａ，３Ｂ内の入居者を常時監視することが可能となる。中央
棟４の各階について詳述すると、第１サービスステーション４Ａは居室棟２の２階と３階
の中間高さに位置しており、居室棟２の２階と３階を３６０°監視可能となっている。こ
こで、前記第１サービスステーション４Ａには看護婦や介護スタッフなどの詰所や医療器
具などの設備を完備しており、専ら２階と３階の居住者の利用に供される。
【００２３】
また、前記中央管理センタ４Ｂは居室棟２の３階と４階の中間高さに位置していて、全
ての入居者の医療ケアを行うことを目的としており、この中央管理センタ４Ｂには診察室
や静養室などの診療設備が完備していて、入居者はここで医師の診療を受けることができ
る。更に、前記第２サービスステーション４Ｃは居室棟２の４階と５階の中間高さに位置
しており、居室棟２の４階と５階を３６０°監視可能となっている。この第２サービスス
テーション４Ｃには前記第１サービスステーション４Ａと同様の設備が完備してあり、専
ら４階と５階の居住者の利用に供される。
【００２４】
更に、前記居室棟２と中央棟４は東側と西側のそれぞれに設けた昇降用スロープ１２，
１３により連絡してある。北寄りに設けたスロープ１２を昇り用、南寄りに設けたスロー
プ１３を降り用としてある。これにより、降り用スロープ１３が昇り用スロープ１２の影
にならず、両昇降用スロープ１２，１３の採光性を良好とすることができる。また、昇降
階段ではなく昇降用スロープとすることで車椅子での移動が容易となる。
【００２５】
このような構成からなる本実施形態に係る介護施設１によれば、全居室群３Ａ，３Ｂが
南向きとなり採光性の向上を図ることができること、居室３Ａ１と３Ｂ１，居室３Ａ２と
３Ｂ２はそれぞれ食堂１０及び談話室１１などのリラックスヤード部６Ａ，６Ｂとそれぞ
れ直接面していること、一部の居室が食堂や談話室などから遠くなってしまうことがない
など、グループケアユニットの条件を具備しつつ、施設全体を劇場又はコンサートホール
としても利用することができる。
【００２６】
そして、筒形状の居室棟２がステージである中央棟４の段部上面Ｆを包囲する構成とし
てあり、反響を利用した優れた音響効果を得ることができるとゝもに、段部上面Ｆや環状
のリラックスヤード６を利用して趣向を凝らした演出や照明を実現することができる。こ
れにより、同じような日常生活の繰り返しにより生じるストレスを解消し、入居者の生き
甲斐となるような特別の娯楽を提供することができる。
【００２７】
また、居室棟２の南側を大径円弧として第１居室群３Ａを、内部空間Ｓの北側を大径円
弧として第２居室群等３Ｂをそれぞれ設けたことにより、限られた面積にあって全室南向
きの居室を最大限形成することができるとゝもに、前記中央棟４の各階の北側を上階ほど
面積が小さくなる段差状としたことにより、内部空間Ｓの北側に配設した第２居室群等３
Ｂへの入射日光が遮られるのを極力防止することができる。
【００２８】
これに加え、中央棟４の各階４Ａ，４Ｂ，４Ｃを居室棟２の各階の中間の高さとしたこ
とにより、２〜５階のリラックスヤード６や第２居室群等３Ｂの北側から１又は２つのス
テージを観覧可能となる一方で、中央棟４の１フロアから居室棟２の上下２フロアを一望
することができ、少ない人数で居室棟２の各居室内を常時監視することが可能となる。
【図面の簡単な説明】
【００２９】
【図１】本発明に係る介護施設の全体斜視図である。
【図２】上記介護施設の各階の構成を示す分解斜視図である。
【図３】上記介護施設の２階より上階の平面図である。
【図４】上記介護施設の各階の通風性を示す説明平面図である。
【図５】図１のＶーＶ線断面図である。
【図６】一般的なグループケアを行うユニットの概念図である。
【符号の説明】
【００３０】
１  介護施設
２  居室棟
３Ａ，３Ｂ  居室群
４  中央棟
５  パブリックスペース
６  リラックスヤード
６Ａ，６Ｂ  リラックスヤード部
９  キッチン
１０  食堂
１１  談話室
１２  昇り用スロープ
１３  降り用スロープ
Ｓ  内部空間
Ｌ  南北を通る中心線
Ｆ  段部上面
Ｄ１，Ｄ２空間部
ＥＶ  エレベータ
【図１】
2005188044.tif 000003
【図２】
2005188044.tif 000004
【図３】
2005188044.tif 000005
【図４】
2005188044.tif 000006
【図５】
2005188044.tif 000007
【図６】
2005188044.tif 000008